(57)【要約】【課題】地上デジタル放送を視聴時にチャンネルの切り換えを行う場合に、ユーザが選択した切り換え先のチャンネルの視聴履歴を、ユーザに即時に報知することができる技法を提供する。【解決手段】複数のチャンネルを有する放送信号を受信する受信手段(ANT1)と、受信手段(ANT1)により受信される複数のチャンネルの切り換えを入力する操作入力手段(TP)と、操作入力手段(TP)の入力に応じて振動する振動手段(190)と、受信手段(ANT1)により受信されるチャンネルの映像を表示する映像表示手段(150)と、切り換え先のチャンネルの履歴を格納する履歴記憶手段(184)と、切り換え先のチャンネルが、履歴記憶手段(184)に格納されているか否かを判定する判定手段(162)と、判定手段(162)による判定に基づいて前記振動手段(190)の振動を制御する振動制御手段(164)とを備えることを特徴とする。【選択図】図１
2008187374.tif 000002
【特許請求の範囲】
【請求項１】
複数のチャンネルを有する放送信号を受信する受信手段と、
前記受信手段により受信される複数のチャンネルの切り換えを入力する操作入力手段と、
前記操作入力手段の入力に応じて振動する振動手段と、
前記受信手段により受信されるチャンネルの映像を表示する映像表示手段と、
前記映像表示手段に番組映像が表示された、前記操作入力手段の入力に応じた切り換え先のチャンネルの履歴を格納する履歴記憶手段と、
前記操作入力手段の入力に応じた切り換え先のチャンネルが、前記履歴記憶手段に格納されているか否かを判定する判定手段と、
前記判定手段による判定に基づいて前記振動手段の振動を制御する振動制御手段と、
を備えることを特徴とする放送受信装置。
【請求項２】
複数のチャンネルを有する放送信号を受信する受信手段と、
前記受信手段により受信される複数のチャンネルの切り換えを入力する操作入力手段と、
前記操作入力手段の入力に応じて振動する振動手段と、
前記受信手段により受信されるチャンネルの映像を表示する映像表示手段と、
前記複数のチャンネルの番組情報を取得する取得手段と、
前記取得した番組情報を格納する番組情報記憶手段と、
前記映像表示手段に番組映像が表示された、前記操作入力手段の入力に応じた切り換え先のチャンネルの履歴を格納する履歴記憶手段と、
前記操作入力手段の入力に応じた切り換え先のチャンネルが前記履歴記憶手段に格納されているか否かを判定し、格納されていると判定した場合、該切り換え先のチャンネルで現在放送中の番組と、前記履歴を格納した時に放送していた番組とが同一であるか否かを、前記番組情報に基づいて判定する判定手段と、
前記判定手段による判定に基づいて前記振動手段の振動を制御する振動制御手段と、
ことを特徴とする放送受信装置。
【請求項３】
請求項１または２のいずれかに記載の放送受信装置において、
前記複数のチャンネルに対応する選局キーを少なくとも表示する表示手段をさらに備え、
前記操作入力手段が、前記表示手段の前面に配置されたタッチパネルとして構成され、
前記制御手段が、少なくとも前記タッチパネルを振動させる、
ことを特徴とする放送受信装置。
【発明の詳細な説明】
【技術分野】
【０００１】
本発明は、地上デジタル放送を受信できる放送受信装置に関し、より詳細には、ユーザによる番組放送の視聴履歴を格納する機能を有し、ユーザによって選択されたチャンネルで現在放送している番組が、それ以前にユーザが視聴（ここで「視聴」とは、放送受信装置のディスプレイに、番組映像が短時間でも表示されたことを指し、ユーザが番組映像を目で見て確認したかは問わないものとする。）した番組であるか否かを、視聴履歴に基づきユーザに即時に報知することのできる放送受信装置およびその制御方法に関する。
【背景技術】
【０００２】
地上デジタル放送を視聴可能な放送受信装置において、ユーザは、各チャンネルが視聴したい番組を放送しているか否かを知るために、チャンネルの切り換え操作を行う。しかしながら地上デジタル放送の受信装置は、チャンネルを切り換えてから画面に切り換え先のチャンネルの映像が表示されるまでに、最短でも２、３秒を要し、切り換えとほぼ同時に映像が表示されていた従来の地上アナログ放送に比べて、大幅に時間がかかるという問題がある。その理由は、地上デジタル放送におけるチャンネル切り換え時の処理は、アナログ放送とは異なり、以下のような複雑な処理を要するためである。
・放送波に同期し安定した信号を取得する処理
・受信した信号を同期再生する処理
・誤り訂正の処理
・放送ＴＳ（Transport Stream）の復号処理
・映像（音声）のデコード処理
・画面出力（音声出力）
【０００３】
ここで、ユーザが視聴したい番組を確実に視聴させるための技法として、従来技術に、ユーザが予め設定したキーワードを含む番組のデジタル放送波を受信すると、音声によってその旨をユーザに報知するものがある（特許文献１を参照されたい。）。
【特許文献１】特開２００５−１７５９２１号公報
【発明の開示】
【発明が解決しようとする課題】
【０００４】
しかしながら、特許文献１に記載されている技法は、ユーザが地上デジタル放送を視聴していない場合を想定しており、ユーザが地上デジタル放送を視聴しながら意識してチャンネルを切り換える場合に、切り換えた先のチャンネルが設定したキーワードを含む番組を放送しているか否かをユーザに報知するものではない。さらに、地上デジタル放送の場合、一般にザッピングと呼ばれる頻繁なチャンネル切り換えを行おうとすると、上述したようにチャンネル切り換え処理に時間がかかるため、ユーザの意図するようなチャンネル切り換え、すなわち、画面に表示されるチャンネル映像の遷移がスムーズに行われず、ユーザにとって操作性が悪く不便である。チャンネルの切り換え処理に２秒、ユーザが番組の内容を把握するのに３〜５秒かかるとすると、ザッピングを行うのにかかる時間は、１チャンネル当たり５〜７秒となる。このような条件では、アナログ放送を受信する場合のような、素早いチャンネル切り換えは行えない。よって、ユーザは、切り換え先のチャンネルの放送内容を確認するのに番組映像に頼ると、そのチャンネルが放送している番組をユーザが過去に視聴したものであった場合は、映像が表示されるのを待つ時間が無駄となる。
【０００５】
したがって、かかる点に鑑みてなされた本発明の目的は、ユーザが地上デジタル放送を視聴時にザッピングを含むチャンネルの切り換えを行う場合に、放送受信装置によるチャンネル切り換え処理の遅れにより番組映像が即時に表示されなくとも、切り換え先のチャンネルの放送している番組がユーザによって少なくとも１回以上視聴されたものであるか否かを、ユーザに報知することができる技法（装置または方法）を提供することである。
【課題を解決するための手段】
【０００６】
上述した諸課題を解決すべく、第１の発明による放送受信装置は、
（放送局から送信される）複数のチャンネルを有する放送信号（地上デジタル放送信号）を受信する受信手段と、
（ユーザが、）前記受信手段により受信される複数のチャンネルの切り換えを入力する操作入力手段と、
前記操作入力手段の入力に応じて振動する振動手段と、
（前記操作入力手段の入力に応じたチャンネルに切り換える選局手段と、）
前記受信手段により受信されるチャンネルの映像を表示する映像表示手段と、
（前記複数のチャンネルの（チャンネル、番組放送時間、番組名、および番組放送内容の説明を含む）番組情報を（放送局から送信される放送信号またはインターネットを介したデータ通信等で、定期的にまたはユーザから要求されたときに）取得する取得手段と、）
（前記取得した番組情報を（チャンネル毎に）格納する番組情報記憶手段と、）
前記映像表示手段に番組映像が表示された、前記操作入力手段の入力に応じた切り換え先のチャンネルの履歴を格納する履歴記憶手段と、
前記操作入力手段の入力に応じた切り換え先のチャンネルが、前記履歴記憶手段に格納されているか否かを判定する判定手段と、
前記判定手段による判定に基づいて前記振動手段の振動を制御する振動制御手段と、
を備えることを特徴とする。
【０００７】
第２の発明による放送受信装置は、
（放送局から送信される）複数のチャンネルを有する放送信号（地上デジタル放送信号）を受信する受信手段と、
（ユーザが、）前記受信手段により受信される複数のチャンネルの切り換えを入力する操作入力手段と、
前記操作入力手段の入力に応じて振動する振動手段と、
（前記操作入力手段の入力に応じたチャンネルに切り換える選局手段と、）
前記受信手段により受信されるチャンネルの映像を表示する映像表示手段と、
前記複数のチャンネルの（チャンネル、番組放送時間、番組名、および番組放送内容の説明を含む）番組情報を（放送局から送信される放送信号またはインターネットを介したデータ通信等で、定期的にまたはユーザから要求されたときに）取得する取得手段と、
前記取得した番組情報を（チャンネル毎に）格納する番組情報記憶手段と、
前記映像表示手段に番組映像が表示された、前記操作入力手段の入力に応じた切り換え先のチャンネルの履歴を格納する履歴記憶手段と、
前記操作入力手段の入力に応じた切り換え先のチャンネルが前記履歴記憶手段に格納されているか否かを判定し、格納されていると判定した場合、該切り換え先のチャンネルで現在放送中の番組と、前記履歴を格納した時に放送していた番組とが同一であるか否かを、前記番組情報に基づいて判定する判定手段と、
前記判定手段による判定に基づいて前記振動手段の振動を制御する振動制御手段と、
ことを特徴とする。
【０００８】
第３の発明による放送受信装置は、
前記複数のチャンネルに対応する選局キーを少なくとも表示する表示手段をさらに備え、
前記操作入力手段が、前記表示手段の前面に配置されたタッチパネルとして構成され、
前記制御手段が、少なくとも前記タッチパネルを振動させる、
ことを特徴とする。
【発明の効果】
【０００９】
このように、本発明によれば、チャンネルの切り換え処理に時間がかかるために番組映像の表示に時間のかかる放送受信装置においても、切り換え先のチャンネルの視聴履歴に応じてユーザに異なる振動を伝えることで、ユーザは、番組映像によって視覚的に切り換え先のチャンネルの内容を確認する場合よりも迅速に、そのチャンネルの放送内容をそれ以前に視聴したか否かを知ることができる。
【発明を実施するための最良の形態】
【００１０】
以降、諸図面を参照しながら、本発明による放送受信装置の実施態様を詳細に説明する。放送受信装置としては、携帯電話、ＰＤＡ（パーソナルデジタルアシスタンス）、携帯ゲーム機、携帯ビデオプレイヤー、携帯電子書籍ビューワーなどの携帯電子機器に幅広く本発明を適用することが可能である。
【００１１】
図１に、本発明による放送受信装置の機能ブロック図を示す。放送受信装置１００は、アンテナＡＮＴ１、ＡＮＴ２、チューナ部１１０、復調部１２０、分岐部１３０、処理部１４０、スピーカＳＰ、表示部１５０、制御部１６０、無線部１７０、記憶部（メモリ等）１８０、操作入力部（タッチパネル等）ＴＰ、振動部１９０および番組情報取得部２００を備えている。アンテナＡＮＴ１は、地上デジタル放送の信号（ＲＦ信号）を受信し、チューナ部１１０は、制御部１６０からの周波数（チャンネル）指定命令に基づいて、受信したＲＦ信号をチューニング（周波数変換）する。なお、制御部１６０からのチャンネル指定命令は、操作入力部ＴＰを用いてユーザが指定したチャンネルに基づく。復調部１２０は、チューナ部１１０によってチューニングされたチャンネル信号を、ＭＰＥＧ形式のＴＳ信号に復調する。分岐部１３０は、復調部１２０によって復調されたＴＳ信号内のパケットＩＤに基づき、音声パケット、映像パケット、データ放送パケットを検出し、音声パケットを音声処理部１４０に、映像パケットを映像処理部１４４に、データ放送パケットをデータ処理部１４６に出力する。なお、音声処理部１４０、映像処理部１４４およびデータ処理部１４６は処理部１４０に備えられている。音声処理部１４２は、入力された音声パケット内の音声データをデコードし、スピーカＳＰに出力する。映像処理部１４４およびデータ処理部１４６は、入力された映像データおよびデータ放送パケットをそれぞれデコードし、表示部１５０に出力する。
【００１２】
無線部１７０は、アンテナＡＮＴ２を介して、音声通話、メール送受信、およびインターネットからのデータダウンロード等の無線通信を行う。番組情報取得部２００は、チャンネル、番組放送時間、番組名および番組放送内容の説明を含む番組情報を、無線部１７０の無線通信により、定期的にまたはユーザから要求されたときに取得する。記憶部（メモリ等）１８０は、番組情報取得部２００が取得した番組情報を格納する番組情報記憶部１８２およびユーザが視聴したチャンネルおよび／または番組を格納する履歴記憶部１８４を備えている。操作入力部ＴＰは、ユーザにより、チャンネルの切り換え操作およびキーワード設定等の操作を入力される。制御部１６０は、放送受信装置１００の各機能部の制御を行うものであり、履歴判定部１６２および振動制御部１６４を備えている。履歴判定部１６２は、操作入力部ＴＰの入力に応じた切り換え先のチャンネルにおける番組映像を、それ以前に表示部１５０に表示したか否かを、履歴記憶部１８４に格納した履歴および／または番組情報記憶部１８２に格納した番組情報に基づき判定し、振動制御部１６４は、履歴判定部１６２の判定に基づいて、振動部１９０の振動パターンの制御を行う。
【００１３】
図２に、放送受信装置１００の一例の概略図を示す。放送受信装置１００は表示部１５０に相当するディスプレイ（液晶ディスプレイ、有機ＥＬおよびＬＥＤディスプレイ等）ＤＩＳを備え、操作入力部ＴＰおよび振動部１９０は、それ自身が振動するフォースフィードバック機能を有するタッチパネルとして構成している。タッチパネルＴＰにはキー群ＫＥＹが表示されており、キー群ＫＥＹは、各チャンネルにそれぞ対応する数値キーＫＥＹ１、チャンネルを順次選択するシフトキーＫＥＹ２を含む。図２の例では、放送受信装置１００を筐体を開閉できる折り畳み型としており、同図（ａ）は筐体を閉じた状態（ディスプレイＤＩＳおよびタッチパネルＴＰを収納した状態）、（ｂ）は筐体を開けた状態（開放状態）、（ｃ）は開放状態の側面図を示す。  
【００１４】
第１の実施例
本発明による放送受信装置１００の第１の実施例では、放送受信装置１００は、ユーザがタッチパネルＴＰに表示されたキーによってチャンネルを切り換える際に、過去に視聴したことのあるチャンネルを選択すると、ユーザが初めて視聴するチャンネルを選択した場合とは異なるパターンで振動させるように、タッチパネルＴＰを制御する。この制御は、放送受信装置１００のディスプレイＤＩＳに番組映像が表示される前に、ユーザの選局に対して即座（同時）に行われて、ユーザが指又はペンでタッチパネルに触れている間に振動を伝えるようにするのが好適である（選局のためにユーザがタッチパネルに触れるのはごく短時間であるため。）。図３に、第１の実施例を説明するための、ユーザによるチャンネルの選択に伴うディスプレイＤＩＳの表示画面の時間遷移を示す図を、図４および図５に、第１の実施例の制御フローチャートを示す。まず、図４を用いて、画面を表示した番組に対して表示履歴を格納（フラグを成立）するフローを、テレビアプリ起動時の流れに沿って説明する。制御部１６０は、タッチパネルＴＰにて受けた、例えばタッチペンＰＥＮを用いたユーザからの起動要求に基づき、テレビアプリを起動する。この場合、制御部１６０は、まず前回のテレビアプリ終了時のチャンネル（デフォルトチャンネル）に割当てられた周波数にチューニングするように、チューナ部１１０に指示し、選局処理を開始する（ステップＳ１０）。この選局処理中には、ディスプレイＤＳＰは、放送受信装置１００が選局処理中であることを示す画面が表示される（例えば図３（ｂ）のディスプレイに表示された「選局中」など）。
【００１５】
次に、履歴判定部１６２は、履歴記憶部１８４に格納した視聴履歴に基づき、切り換え先のチャンネルが、過去にユーザによって視聴されたか否か（表示部１５０に画面表示した（デコード処理済みである）ことを示すフラグがあるか否か）を判定する（ステップＳ１１）。フラグがあると判定した場合は、画面に番組映像を表示し（ステップＳ１２）、フラグがないと判定した場合は、画面に番組映像を表示し（ステップＳ１３）、画面に表示した番組の履歴を示すフラグを、履歴記憶部１８４に格納する（ステップＳ１４）。なお、履歴記憶部１８４に格納する履歴は、図示しない計時部を設けて、テレビアプリを立ち下げてから所定の日数（ユーザによって設定され、記憶部１８０に格納することができる）が経過していれば初期状態（履歴記憶部１８４に格納している履歴がない状態）に戻すようにしてもよいし、ユーザがテレビアプリを起動する度に初期状態に戻してもよい。また、放送受信装置１００の所定のキーによってユーザが自由に初期状態に戻すようにすることもできる。
【００１６】
次に、図５を用いて、振動パターンを制御するフローを説明する。ユーザによるタッチパネルＴＰを介したチャンネルの切り換え要求を検出すると、ユーザが選局したチャンネルに割り当てられた周波数にチューニングするように、チューナ部１１０に指示し、選局処理を開始する（ステップＳ２０）。この選局処理中には、ディスプレイＤＳＰは、放送受信装置１００が選局処理中であることを示す画面が表示される（例えば図３（ｂ）のディスプレイに表示された「選局中」など）。次に、履歴判定部１６２は、履歴記憶部１８４に格納した視聴履歴に基づき、切り換え先のチャンネルが、過去にユーザによって視聴されたか否か（表示部１５０に画面表示した（デコード処理済みである）ことを示すフラグがあるか否か）を判定する（ステップＳ２１）。フラグがあると判定した場合は、振動制御部１６４は、過去に視聴したチャンネルであることを示す振動パターンＢ（例えば、「カチッ」のようなクリック感を１回与える振動）で振動するようにタッチパネルＴＰを制御し（ステップＳ２２）、表示部１５０に切り換え先のチャンネルで放送されている番組の映像を表示する（ステップＳ２３）。ステップＳ２１でフラグがないと判定された場合は、振動制御部１６４は、初めて視聴するチャンネルであることを示す振動パターンＡ（例えば、「ブルッ」のような短い１回の振動）で振動するようにタッチパネルＴＰを制御し（ステップＳ２４）、表示部１５０に切り換え先のチャンネルで放送されている番組の映像を表示する（ステップＳ２５）。その後、視聴したチャンネルの履歴（フラグ）を、履歴記憶部１８４に格納する（ステップＳ２６）。
【００１７】
ユーザによるチャンネルの選択に伴う放送受信装置１００の状態の遷移を、図３を用いて説明する。まず同図（ａ）のように、ユーザは、チャンネル４（ｃｈ４）を初めて視聴するものとする。ディスプレイに番組映像が表示される（デコード処理が完了する）と、この時点で、ｃｈ４にはフラグが成立する。次にユーザが、タッチパネルＴＰを操作して、過去に視聴したことのないチャンネル１（ｃｈ１）を選択すると、同図（ｂ）のようにディスプレイに選局中の表示がされ、履歴判定部１６２が、履歴記憶部１８４にｃｈ１の視聴履歴を示すフラグが格納されていないことを判定し、振動制御部１６４が、「ブルッ」という振動パターンＡでタッチパネルＴＰを振動させる。ｃｈ１のデコード処理が完了すると、同図（ｃ）のようにディスプレイｃｈ１の「報道テレビ」の映像が表示され、この表示がされた時点で、視聴履歴を示すフラグが成立する。次にユーザが、同図（ｄ）のように、過去に視聴したｃｈ４をタッチパネルＴＰで選択すると、履歴判定部１６２が、履歴記憶部１８４にｃｈ４の視聴履歴を示すフラグが格納されていることを判定し、振動制御部１６４が、「カチッ」という振動パターンＢでタッチパネルＴＰを振動させる。その後、同図（ｅ）のように、ディスプレイにｃｈ４の「サッカー決勝」の映像が表示される。過去に視聴したｃｈ１をユーザが選択した場合も同様に、同図（ｆ）のように、「カチッ」という振動パターンＢでタッチパネルＴＰは振動するように制御される。このように、番組の画面が表示される前にタッチパネルＴＰが、過去に視聴したか否かに応じて異なる振動パターンで振動するため、ユーザはそのチャンネルを一度視聴したか否かを即時に把握でき、例えば一度視聴したｃｈ４を再度視聴したくない場合に、ディスプレイに同図（ｅ）のように番組映像が表示される前に、同図（ｄ）のような振動を感じた時点で、別のチャンネルをタッチパネルＴＰで選局することができる。
【００１８】
なお、図３の例ではチャンネルを切り換えるのに数値キーＫＥＹ１を用いる場合について説明したが、図１０のように、チャンネルを順次切り換えるシフトキーＫＥＹ２を用いることもできる。この場合も同様に、ユーザがシフトキーＫＥＹ２を押下げて切り換えた先のチャンネルが、過去に視聴していないチャンネルに相当する場合は、振動制御部１６４は、タッチパネルＴＰを、過去に視聴しているチャンネルとは異なるパターンで振動させる。
【００１９】
第２の実施例
本発明による放送受信装置１００の第２の実施例では、放送受信装置１００は、ユーザがタッチパネルＴＰに表示されたキーによってチャンネルを切り換える際に、過去に視聴したチャンネルが選択されると、そのチャンネルで放送している番組がユーザが過去に視聴した番組と同一か否かを、ＥＰＧ（Electric Program Guide、電子番組表）および視聴履歴に基づいて判定し、タッチパネルＴＰを、過去に視聴していない番組を放送しているチャンネルが選択された場合とは異なるパターンで振動させるように制御する。この制御は、放送受信装置１００のディスプレイＤＩＳに番組映像が表示される前に、ユーザの選局に対して即座（同時）に行われて、ユーザが指又はペンでタッチパネルに触れている間に振動を伝えるようにするのが好適である。図６に、第２の実施例を説明するための、ユーザによるチャンネルの選択に伴うディスプレイＤＩＳの表示画面の時間遷移を示す図を、図７に、第２の実施例の制御フローチャートを示す。
【００２０】
まず、番組情報取得部２００は、ＥＰＧ情報（チャンネル、番組放送時間、番組名、および番組放送内容の説明を含む）を、事前に放送局から送信される放送信号またはインターネットを介したデータ通信等で取得し、番組情報記憶部１８２に格納する（ステップＳ３０）。なお、図８にＥＰＧの一例を示す。このように、ＥＰＧには、放送局（「東京テレビ」など）およびそれに該当するチャンネル、番組ジャンル（スポーツ、バラエティなど）、放送時刻および出演者等の情報が含まれ、図８の例では番組ジャンルごとに異なる色で番組を表示して、ユーザが容易に放送されている番組ジャンルを理解できるようにしている。
【００２１】
制御部１６０は、タッチパネルＴＰにて受けた、例えばタッチペンＰＥＮを用いた、ユーザによるタッチパネルＴＰを介したチャンネルの切り換え要求を検出すると、ユーザが選局したチャンネルに割り当てられた周波数にチューニングするように、チューナ部１１０に指示し、選局処理を開始する（ステップＳ３１）。この選局処理中には、ディスプレイＤＳＰは、放送受信装置１００が選局処理であることを示す画面が表示される（例えば図６（ｂ）のディスプレイに表示された「選局中」など）。
【００２２】
次に、履歴判定部１６２は、履歴記憶部１８４に格納した視聴履歴に基づき、切り換え先のチャンネルが、過去にユーザによって視聴されたか否か（表示部１５０に画面表示したことを示すフラグがあるか否か）を判定する（ステップＳ３２）。フラグがある場合は、履歴判定部１６２は、履歴記憶部１８４に格納されているフラグの日時および番組情報記憶部１８２に格納されているＥＰＧに基づき、そのフラグが成立した日時と同一の番組を、切り換え先のチャンネルが現在放送しているか否かを判定する（ステップＳ３３）。同一の番組を放送していると判定された場合は、振動制御部１６４は、過去に視聴したチャンネルおよび番組であることを示す振動パターンＢ（例えば、「カチッ」という振動）で振動するようにタッチパネルＴＰを制御し（ステップＳ３４）、表示部１５０に切り換え先のチャンネルで放送されている番組の映像を表示する（ステップＳ３５）。ステップＳ３３で同一の番組でないと判定された場合は、振動制御部１６４は、初めて視聴する番組であることを示す振動パターンＡ（例えば、「ブルッ」という振動）で振動するようにタッチパネルＴＰを制御し（ステップＳ３６）、表示部１５０に切り換え先のチャンネルで放送されている番組の映像を表示する（ステップＳ３７）。その後、視聴した番組の履歴（フラグ）を、履歴記憶部１８４に格納する（ステップＳ３８）。ステップＳ３２で過去に視聴したチャンネルでないと判定された場合は、振動制御部１６４は、初めて視聴するチャンネルであることを示す振動パターンＡ（例えば、「ブルッ」という振動）で振動するようにタッチパネルＴＰを制御し（ステップＳ３９）、表示部１５０に切り換え先のチャンネルで放送されている番組の映像を表示する（ステップＳ４０）。その後、視聴したチャンネルの履歴（フラグ）を、履歴記憶部１８４に格納する（ステップＳ４１）。フラグは、図８に示したＥＰＧの例のように、視聴した複数の番組に対して成立させることができ、この例では、ＰＲＧ１の「生活工房」およびＰＲＧ２の「サッカー決勝」にフラグが成立している。本発明では、ＥＰＧの情報に放送受信装置１００に固有の「過去の画面表示」履歴を加えたフラグとなっている。
【００２３】
ユーザによるチャンネルの選択に伴う放送受信装置１００の状態の遷移を、図６を用いて説明する。まず同図（ａ）のように、ユーザは、チャンネル４（ｃｈ４）の「サッカー決勝」を初めて視聴するものとする。ディスプレイに番組映像が表示される（デコード処理が完了する）と、この時点で、ｃｈ４にはフラグが成立する。次にユーザが、タッチパネルＴＰを操作して、過去に視聴したことのないチャンネル１（ｃｈ１）を選択すると、同図（ｂ）のようにディスプレイに選局中の表示がされ、履歴判定部１６２が、履歴記憶部１８４にｃｈ１の視聴履歴を示すフラグが格納されていないことを判定し、振動制御部１６４が、「ブルッ」という振動パターンＡでタッチパネルＴＰを振動させる。その後、同図（ｃ）のようにディスプレイｃｈ１の「報道テレビ」の映像が表示され、この表示がされた時点で、視聴履歴を示すフラグが成立する。次にユーザが、同図（ｄ）のように、過去に視聴したｃｈ４をタッチパネルＴＰで選択すると、履歴判定部１６２が、履歴記憶部１８４にｃｈ４の視聴履歴を示すフラグが格納されていることを判定し、フラグが格納されていると判定すると、ＥＰＧに基づいて、ｃｈ４で現在放送している番組が、視聴履歴を示すフラグが成立した時点で放送していた番組と同一か否かを判定する。この例では、ｃｈ４で放送している番組が同図（ｅ）のように「天気予報」に変わっており、ユーザが初めて視聴する番組であるため、タッチパネルＴＰは、「ブルッ」という振動パターンＡで振動する。その後、ディスプレイにｃｈ４の「天気予報」の映像が表示され、ＥＰＧの「天気予報」対してフラグが成立する（図示せず）。過去に視聴したｃｈ１で過去に視聴した「報道テレビ」が現在も１ｃｈで放送されているとすると、ｃｈ１をユーザが選択した場合は、同図（ｆ）のように、「カチッ」という振動パターンＢでタッチパネルＴＰが振動する。このように、番組の画面が表示される前に、タッチパネルＴＰが、過去に視聴したか否かに応じて異なる振動パターンで振動するため、ユーザはその番組を一度視聴したか否かを即時に把握でき、例えば一度視聴した「報道テレビ」を再度視聴したくない場合に、ディスプレイに同図（ｃ）のように番組映像が表示される前に、同図（ｄ）のように振動を感じた時点で、別のチャンネルをタッチパネルＴＰで選局することができる。
【００２４】
ここで、上述した実施例では、切り換え先のチャンネルおよび／または切り換え先のチャンネルで放送している番組を過去に視聴したか否かを、タッチパネルを振動させることでユーザに報知しているが、ディスプレイＤＳＰに番組情報をポップアップ表示させることも有効である。なお、この場合、ユーザがディスプレイＤＳＰを注視する必要および文字を読む必要が生じて番組情報を即時に把握しにくいため、ポップアップ表示は補助的なものとして、タッチパネルの振動と同時に用いることが好適である。ポップアップ表示としては、例えば、「このチャンネルは初めて視聴する番組を放送しています」のようなものにすることができる。
【００２５】
他の実施例として、ユーザによって予め録画されて、記憶部１５０または図示しない外部メモリ（ハードディスク、メモリカード等）に格納されている番組を再生するときも同様の技法を用いるのも有効である。図９に、本発明による放送受信装置１００で録画した番組を再生する場合の概略図を示す。図に示すように、ユーザがタッチパネルＴＰを操作して録画した番組を選択すると、選択された番組が過去に再生された番組でない場合は、同図（ａ）のように、初めて再生する（新規再生の）番組であることを示す振動パターン（例えば、「ブルッ」という振動）でタッチパネルＴＰが振動する。選択された番組が過去に再生された番組であった場合は、同図（ｂ）のように、過去に再生済みの番組であることを示す振動パターン（例えば、「カチッ」という振動）でタッチパネルＴＰが振動する。なお、ここでの録画番組とは、動画ストリーミングデータ、電子ブックおよび電子コミック等のダウンロードデータも含まれる。
【００２６】
上述の説明では、タッチパネルＴＰは数値キーＫＥＹ１およびシフトキーＫＥＹ２の両方を表示しているが、これに限定されるものではなく、例えばどちらか一方のみを表示するようにユーザが設定できるようにしてもよい。このようにすれば、例えばキーを大きく表示することで、キーを選択ミスする回数を低減することができる。また、本発明による放送受信装置１００を折り畳み型として説明しているが、これに限定されるものではなく、ディスプレイ（表示部）を備える層とタッチパネル（操作入力部）を備える層の２つの層を重ね合わせ、その２つの層をスライドさせることによってタッチパネルを出現させるスライド型や、ディスプレイおよびタッチパネルを同一の面に並べて構成する（ストレート）型とすることもできる。さらに、操作入力部および振動部としてタッチパネルを例として説明したが、これに限定されるものではなく、操作入力部と振動部を、例えば一般的なキーパッド／ボタンと微小モータによって構成することもできる。また、振動パターンは記載したものに限定されるものではなく、「ブルブル」のような２回の振幅の大きい振動や、「ブブブ」のような短い振動のような振動にすることもできる。さらに、ユーザに履歴の有無を報知するのに、振動のパターンによる差異ではなく、振動の強弱、リズムまたは周期を変えることも有効である。
【００２７】
なお、本発明をプログラムとして実現させ、無線通信機能を利用してインターネット網からダウンロードし、放送受信装置の記憶部に格納して、上述した諸機能をもたせることもできる。
【００２８】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【図面の簡単な説明】
【００２９】
【図１】本発明による放送受信装置のブロック図の一例である。
【図２】本発明による放送受信装置の概略図である。
【図３】本発明による放送受信装置の第１の実施例を説明する概略図である。
【図４】本発明による放送受信装置の第１の実施例の制御フローチャートである。
【図５】本発明による放送受信装置の第１の実施例の制御フローチャートである。
【図６】本発明による放送受信装置の第２の実施例を説明する概略図である。
【図７】本発明による放送受信装置の第２の実施例の制御フローチャートである。
【図８】ＥＰＧの一例を示す図である。
【図９】本発明による放送受信装置の他の実施例を説明する概略図である。
【図１０】本発明による放送受信装置の第１の実施例を説明する概略図である。
【符号の説明】
【００３０】
１００  放送受信装置
１１０  チューナ部
１２０  復調部
１３０  分岐部
１４０  処理部
１４２  音声処理部
１４４  映像処理部
１４６  データ処理部
１５０  表示部
１６０  制御部
１６２  履歴判定部
１６４  振動制御部
１７０  無線部
１８０  記憶部
１８２  番組情報記憶部
１８４  履歴記憶部
１９０  振動部
２００  番組情報取得部
ＳＰ  スピーカ
ＴＰ  操作入力部（タッチパネル）
ＡＮＴ１、ＡＮＴ２  アンテナ
ＤＩＳ  ディスプレイ
ＫＥＹ  キー群
ＫＥＹ１  数値キー
ＫＥＹ２  シフトキー
ＰＥＮ  タッチペン
【図１】
2008187374.tif 000003
【図２】
2008187374.tif 000004
【図３】
2008187374.tif 000005
【図４】
2008187374.tif 000006
【図５】
2008187374.tif 000007
【図６】
2008187374.tif 000008
【図７】
2008187374.tif 000009
【図８】
2008187374.tif 000010
【図１０】
2008187374.tif 000011
【図９】
2008187374.tif 000012